(57)【要約】【課題】レンズ鏡筒内の相対的に移動する筒状部材間において、その部品間のラジアル方向の隙間から内部に光やゴミが侵入し、光学性能の悪化や、円滑な作動を妨げることを防止するために、隙間を遮蔽する遮蔽構造を、安価で、光学設計の自由度を維持しつつ、メカ的な強度を維持したまま提供すること。【解決手段】遮蔽部材の一部は光軸方向に重複するように設けられており、レンズ保持枠の遮蔽部材の貼り付け面は、遮蔽部材重複部のみ光軸方向に突出している。また、遮蔽部材が摺動する筒状部材には、補強リブを有するフランジ部が設けられており、該レンズ保持枠の突出部と、該補強リブは異なる位相に配置されている。【選択図】        図１
2006119185.tif 000002
【特許請求の範囲】
【請求項１】
ズーミングあるいはフォーカシングにより光軸方向に進退するレンズ群を保持するレンズ保持枠と、該レンズ保持枠を内包する筒状部材と、該レンズ保持枠の外周と該筒状部材との間に介在する該レンズ保持枠の外周面に貼り付けられた遮蔽部材を有するレンズ鏡筒において、
該遮蔽部材の一部は光軸方向に重複するように設けられており、該レンズ保持枠の該遮蔽部材の貼り付け面は、該遮蔽部材重複部のみ光軸方向に突出していることを特徴とするレンズ鏡筒。
【請求項２】
該筒状部材には補強リブを有するフランジ部が設けられており、該レンズ保持枠の突出部と、該補強リブは異なる位相に配置されていることを特徴とする請求項１に記載のレンズ鏡筒。
【請求項３】
該レンズ保持枠の突出部は、正位置時真上になるように配置されていることを特徴とする請求項１又は２に記載のレンズ鏡筒。
【請求項４】
請求項１乃至３いずれかに記載のレンズ鏡筒を有することを特徴とする光学機器。
【発明の詳細な説明】
【技術分野】
【０００１】
本発明は、光軸方向に進退するレンズ保持枠と隣接する部材との隙間の遮光および防塵に関する構造を有するレンズ鏡筒、及びそれを有する光学機器に関するものである。
【背景技術】
【０００２】
従来、レンズ鏡筒内の相対的に移動する筒状部材間において、その部品間のラジアル方向の隙間から内部に光やゴミが侵入し、光学性能の悪化や、円滑な作動を妨げることを防止するために、隙間を遮蔽する遮蔽構造が用いられている。たとえば、相対的に移動する外筒と内筒のどちらか一方に遮蔽部材を固定し、相手部品に対して、遮蔽部材を弾性接触させるような構造が知られている。遮蔽部材には一般的に、弾性が必要なため、帯状に形成したゴム材料や、テレンプと呼ばれるような経パイル織物の一種が用いられ、両面に粘着性を有するテープ等を積層し、外筒の内周または内筒の外周に巻きつけるように貼り付けることにより、部品間のラジアル方向の隙間を遮蔽し、内部に光やゴミが侵入することを防止している。このような従来技術が特許文献１及び２に開示されている。
【特許文献１】特開２００３−２０７７０５号公報
【特許文献２】特開２００１−０４２４０７号公報
【発明の開示】
【発明が解決しようとする課題】
【０００３】
しかしながら、上記構成において、その機能上遮蔽部材には弾性が必要とされるために、組立時に遮蔽部材を巻きつける際、引っ張り具合によって長さが変化してしまう。また延び具合を考慮して短めにしてしまうと、巻き始めと巻き終わりの間に隙間が開いてしまうことがあり、目的である遮蔽に十分な効果が得られないことが考えられる。
【０００４】
このような問題点の対策として、（１）遮蔽部材に銅板等を積層して長さの変化を抑制したり、（２）長さが変化してしまう場合は、光軸方向に重複させるようにあらかじめ遮蔽部材２本分の貼り付け面スペースを広めに確保しておいたり、（３）図５のように、円筒部材２０の外周に、両端部を斜めにカットした遮蔽部材２１を巻きつけ、斜め部で光軸方向に重複させることが用いられていたが、（１）は遮蔽部材単品が高価なものになってしまい、（２）は貼り付け面スペースと周辺部材との干渉を考慮した移動量にしなければならない為、光学設計の自由度が下がってしまい、光学系の移動量を多く取ろうとすれば、周辺部材の切り欠き量が増し、強度不足となる恐れがあり、（３）は、図５のように、斜め部同士が密着することなく隙間が空いてしまうことがあり、目的である遮蔽に十分な効果が得ることができない恐れがある。
【０００５】
本発明は、以上の点に着目して成されたもので、光学設計の自由度を維持したまま、十分な遮蔽効果を得ることが可能となるレンズ鏡筒を提供することを目的とする。
【課題を解決するための手段】
【０００６】
前記課題を解決する為に、請求項１の発明は、ズーミングあるいはフォーカシングにより光軸方向に進退するレンズ群を保持するレンズ保持枠と、該レンズ保持枠を内包する筒状部材と、該レンズ保持枠の外周と該筒状部材との間に介在する該レンズ保持枠の外周面に貼り付けられた遮蔽部材を有するレンズ鏡筒において、該遮蔽部材の一部は光軸方向に重複するように設けられており、該レンズ保持枠の該遮蔽部材の貼り付け面は、該遮蔽部材重複部のみ光軸方向に突出していることを特徴とすることにより、遮蔽部材は安価なままに、光学設計の自由度を維持したまま、十分な遮蔽効果を得ることが可能となる。
【０００７】
また請求項２の発明は、該筒状部材には補強リブを有するフランジ部が設けられており、該レンズ保持枠の突出部と、該補強リブは異なる位相に配置されていることを特徴とすることにより、光学設計の自由度を維持したまま、該筒状部材に必要な強度をも持たせることが可能となる。
【０００８】
また請求項３の発明は、該レンズ保持枠の突出部は、正位置時真上になるように配置されていることを特徴とすることにより、万が一、該レンズ鏡筒を落下させてしまったとしても、補強リブを有している部分が先に地上に衝突するので、致命的な破損が起こる可能性を低減することが可能となる。
【０００９】
また請求項４の発明の光学機器は、上述のようなレンズ鏡筒を有することを特徴としている。
【発明の効果】
【００１０】
本発明のレンズ鏡筒又は光学機器によれば、光学設計の自由度を維持したまま、十分な遮蔽効果を得ることが可能となる。
【発明を実施するための最良の形態】
【００１１】
以下、本発明の実施形態を、図１〜図４を用いて説明する。
【実施例】
【００１２】
図１は、本発明の防塵構造が実装された、一眼レフカメラ用交換レンズの主要部分断面図である。
【００１３】
図２は、図１の一眼レフカメラ用交換レンズにおける、レンズ保持枠と一体で移動する、遮蔽部材が貼り付けられたネームリングの右側面図である。
【００１４】
図３は、図２のネームリングの斜視図である。
【００１５】
図４は、図１の一眼レフカメラ用交換レンズにおける、ネームリングを取り外した状態の左側面図である。
【００１６】
はじめに、図１において、１は不図示のカメラ本体のマウントと係合するバヨネット爪を有するレンズ側マウント、２は固定筒で、マウント１がビス等で固定されている。３はマニュアルフォーカスリングで、固定筒２の外周に嵌合しており、回転操作をおこなうことで、手動ピント合わせをおこなうことができる。４は第２の固定筒で、マニュアルフォーカスリング３を固定筒２との間に挟みこむことによって、マニュアルフォーカスリング３の光軸方向の位置を規制している。
【００１７】
５はズームリングで、第２の固定筒４にバヨネット結合しており、回転操作をおこなうことで、不図示の各レンズ群を光軸方向に動かして、焦点距離を変化させることができる。
【００１８】
６はフィルター枠で、第２の固定筒４に回転規制されており、外周に嵌合するズームリング５がバヨネット結合することにより、光軸方向の位置が規制されている。先端外周には、フードなどのアクセサリーを取り付けるためのバヨネット爪６ａを有し、先端内周には、フィルターなどを取り付けるためのネジ６ｂがきられている。
【００１９】
７は外装環で、外周に焦点距離等のレンズスペックが印刷されており、フィルター枠６の外周にネジ結合している。
【００２０】
８は１群移動筒で、ズームリング５の回転操作により、光軸方向に進退する。９は１群鏡筒で、光学素子Ｌ１を保持しており、１群移動筒８にビス１０により固定されている。
【００２１】
１１はネームリングで、１群移動筒８に対して、光軸を中心として略等分３ヶ所に設けられた弾性変形する爪１１ａにより係合するとともに、嵌合突起１１ｂが嵌合していて、接着等により固定されている。
【００２２】
１２は遮蔽部材で、あらかじめ両面に粘着性を有するテープが積層され短冊上に形成されており、ネームリング１１の外周に、巻きつけるように貼られている。遮蔽部材１２は、フィルター枠６の内周に摺動するように設けられていて、ゴミや光の侵入を防止している。また、ズームリング５の回転操作による１群移動筒８の光軸方向の移動、しいてはネームリング１１の光軸方向の移動の際に、摺動抵抗が大きくならないように、遮蔽部材１２は高弾性を有する材質で形成されている。
【００２３】
次に、図２および図３において、ネームリング１１および遮蔽部材１２の形状および、実装形態について説明する。
【００２４】
ネームリング１１の外周には、遮蔽部材１２を貼り付けるための円筒部１１ｃと、遮蔽部材１２を沿わせて貼るための壁部１１ｄが設けられている。円筒部１１ｃは、光軸方向に遮蔽部材１２の１本分の幅で設けられている。また、この交換レンズを、カメラ本体に装着したときに真上位置（レンズ系の光軸に対して真上及びその光軸周りに真上±１０度以内、より好ましくは真上±４５度の領域とすることが望ましい）となる１１ｅ部においては、十分な遮蔽効果が得られるように遮蔽部材１２を光軸方向に重複して設けるために、円筒部１１ｃは遮蔽部材１２の２本分の幅（厚さ）となっている。勿論、交換レンズをカメラ本体に装着した時の真上位置以外の領域、具体的には円筒部１１ｃの真横位置（交換レンズの光軸を通って略水平な平面と円筒部１１ｃとが交わる位置）においては、円筒部１１ｃは遮蔽部材１１の略１本分（１〜１.５本分）の幅（厚さ）となっている。すなわち、円筒部１１ｃの真上位置の幅が、円筒部１１ｃの真横位置の幅よりも大きくなるように構成している。
【００２５】
次に、図４において、ネームリング１１に隣接するフィルター枠６について説明する。
【００２６】
フィルター枠６には、レンズ鏡筒落下時の破損抑制のためのフランジ部６ｃと、フランジ部６ｃ上に、補強リブ６ｄが設けられている。またネームリング１１の円筒部真上位置１１ｅに対応する箇所（フィルター枠の真上位置、真上位置の定義は前述の１１ｅと同様）６ｅは、補強リブ６ｄを配置しないような構造とし、ネームリング１１がフィルター枠６に最も近接するときには、円筒部真上位置１１ｅと補強リブ６ｄが、光軸方向に重なるようになっており、ネームリング１１の光軸方向のストロークを十分に確保可能となっている。また、上記説明したような構成の交換レンズをカメラ本体に装着した状態で、万が一落下させてしまったとしても、最初に地面と衝突する交換レンズ先端の真下部には、補強リブ６ｄが設けてあるので、破損を抑制することが可能となっている。
【００２７】
以上説明したように、本実施例によれば、ズーミングあるいはフォーカシングにより光軸方向に進退するレンズ群を保持するレンズ保持枠と、該レンズ保持枠を内包する筒状部材と、該レンズ保持枠の外周と該筒状部材との間に介在する該レンズ保持枠の外周面に貼り付けられた遮蔽部材を有するレンズ鏡筒において、該遮蔽部材の一部は光軸方向に重複するように設けられており、該レンズ保持枠の該遮蔽部材の貼り付け面は、該遮蔽部材重複部のみ光軸方向に突出していることを特徴とすることにより、遮蔽部材は安価なままに、光学設計の自由度を維持したまま、十分な遮蔽効果を得ることが可能となる。
【００２８】
また、該筒状部材には補強リブを有するフランジ部が設けられており、該レンズ保持枠の突出部と、該補強リブは異なる位相に配置されていることを特徴とすることにより、光学設計の自由度を維持したまま、該筒状部材に必要な強度をも持たせることが可能となる。
【００２９】
また、該レンズ保持枠の突出部は、正位置時真上になるように配置されていることを特徴とすることにより、万が一、該レンズ鏡筒を落下させてしまったとしても、補強リブを有している部分が先に地上に衝突するので、致命的な破損が起こる可能性を低減することが可能となる。
【００３０】
また、本実施例は、上記のようなレンズ鏡筒を有する光学機器にも適用可能である。その光学機器とは、撮像機器（スチールカメラ、ビデオカメラ、デジタルカメラ、フィルムカメラ等）、観察光学機器（双眼鏡、望遠鏡等）、画像投射機器（例えば液晶プロジェクター等の画像投射機器）等であるが、勿論その他の光学機器であっても構わない。
【図面の簡単な説明】
【００３１】
【図１】本発明の実施形態における一眼レフカメラ用交換レンズの主要部分断面図である。
【図２】図１の一眼レフカメラ用交換レンズにおける、レンズ保持枠と一体で移動する、遮蔽部材が貼り付けられたネームリングの右側面図である。
【図３】図１の一眼レフカメラ用交換レンズにおける、レンズ保持枠と一体で移動する、遮蔽部材が貼り付けられたネームリングの斜視図である。
【図４】図１の一眼レフカメラ用交換レンズにおける、ネームリングを取り外した状態の左側面図である。
【図５】従来の遮蔽部材の一例を示す簡略図である。
【符号の説明】
【００３２】
１  マウント
２  固定筒
３  マニュアルフォーカスリング
４  第２の固定筒
５  ズームリング
６  フィルター枠
７  外装環
８  １群移動筒
９  １群鏡筒
１０  ビス
１１  ネームリング
１２  遮蔽部材
２０  円筒部材
２１  遮蔽部材
【図１】
2006119185.tif 000003
【図２】
2006119185.tif 000004
【図３】
2006119185.tif 000005
【図４】
2006119185.tif 000006
【図５】
2006119185.tif 000007